(57)【要約】  【課題】工具を用いることなく天板と脚要素とを連結してなる天板付き家具において、天板と脚要素との間のがたつきの発生を抑える。  【解決手段】天板１と、左右両側に設けられ天板１を支持する脚要素Ａ１たる袖２及び脚体（図示略）とを有し、工具を用いることなく天板１と脚要素Ａ１とを連結してなる天板付き家具たるデスクＡにおいて、前記天板１と前記脚要素Ａ１との間に、テーパ面６５２ａを有する係合突起６５と、前記係合突起６５と係合可能な受孔１３ｘとを具備してなり、前記係合突起６５と前記受孔１３ｘとを係合させた係合状態において脚要素Ａ１の左右方向への移動を禁止するテーパ結合部Ｔを設ける。  【選択図】図８
2006141484.tif 000002
【特許請求の範囲】
【請求項１】
天板と、左右両側に設けられ天板を支持する脚要素とを有し、工具を用いることなく天板と脚要素とを連結してなるものであって、
前記天板と前記脚要素との間に、テーパ面を有する係合突起と、前記係合突起と係合可能な受孔とを具備してなり、前記係合突起と前記受孔とを係合させた係合状態において脚要素の左右方向への移動を禁止するテーパ結合部を設けていることを特徴とする天板付き家具。
【請求項２】
両側の脚要素を連結する脚連結体を具備するとともに、前記脚連結体の左右両端に前記係合突起を設け、前記係合状態で前記係合突起が脚要素に圧接するようにしていることを特徴とする請求項１記載の天板付き家具。
【請求項３】
前記脚連結体の天板対向面の左右両端に、前記係合突起を天板に向けて突出させて設けているとともに、天板の裏面に前記受孔を設けていることを特徴とする請求項２記載の天板付き家具。
【請求項４】
前記脚連結体が、天板下方の空間を外部空間から区画し、天板との間に隙間を形成した状態で脚要素間に架設される幕板であることを特徴とする請求項２又は３記載の天板付き家具。
【請求項５】
前記係合突起と前記脚連結体との間に係合突起取付部材を介在させているとともに、前記係合突起が天板に向けて突出する使用位置と前記係合突起が前記脚連結体の天板対向面と略又は完全に平行となる収納位置との間を回動可能となるように前記係合突起の基端部を前記係合突起取付部材に取り付けていることを特徴とする請求項２、３又は４記載の天板付き家具。
【請求項６】
前記脚連結体を前記係合突起取付部材と一体に構成した脚連結体係止具を用いて脚に係止することを特徴とする請求項５記載の天板付き家具。
【発明の詳細な説明】
【技術分野】
【０００１】
本発明は、工具を用いることなく天板と脚要素とを連結してなる天板付き家具に関する。
【背景技術】
【０００２】
従来から、工具を用いずに、所定の動作で天板に脚要素を組み付けられるようにした天板付き家具が知られている。
【０００３】
具体的にこの種の天板付き家具は、例えば、天板下面の前部及び後部にそれぞれ設けられる連結孔と、該連結孔に対応する部位において脚要素の上端に突設される段付きピンとの係合によって、天板と脚要素とを連結し、その脚要素間に幕板を介挿して脚要素の天板に対する左右移動を禁止するように構成されている（例えば、特許文献１参照。）。
【特許文献１】特許２６７９６２８号公報
【発明の開示】
【発明が解決しようとする課題】
【０００４】
ところで、このような天板付き家具においては、前記段付きピンを前記連結孔に挿入可能にすべくこれらの間に隙間を設けているので、ネジ止め操作により緊締力を発生させて天板に脚要素を組み付ける構成と異なり、前記隙間の存在に由来するがたつきが発生する不具合が存在する。
【０００５】
本発明は、このような課題を解決すべく構成するものである。
【課題を解決するための手段】
【０００６】
すなわち、本発明に係る天板付き家具は、天板と、左右両側に設けられ天板を支持する脚要素とを有し、工具を用いることなく天板と脚要素とを連結してなるものであって、前記天板と前記脚要素との間に、テーパ面を有する係合突起と、前記係合突起と係合可能な受孔とを具備してなり、前記係合突起と前記受孔とを係合させた係合状態において脚要素の左右方向への移動を禁止するテーパ結合部を設けていることを特徴とする。
【０００７】
このようなものであれば、緊締力を発生させる工具を用いなくとも、前記係合突起と前記受孔とを係合させた係合状態において前記テーパ結合部を作用させて前記係合突起と前記受孔とを互いに密接させ、脚要素の左右方向への移動を禁止することにより、天板と脚要素との間のがたつきの発生を抑えることができる。
【０００８】
両側の脚要素を連結する脚連結体を具備するとともに、前記脚連結体の左右両端に前記係合突起を設け、前記係合状態で前記係合突起が脚要素に圧接するようにしているものであれば、前記テーパ結合部の作用により天板と脚連結体との間を互いに密接させることと併せて、より効果的に天板と脚要素との間のがたつきの発生を抑えることができる。
【０００９】
前記脚連結体の天板対向面の左右両端に、前記係合突起を天板に向けて突出させて設けているとともに、天板の裏面に前記受孔を設けているものであれば、天板を裏返しにして前記脚連結体を天板に取り付ける際に、前記テーパ係合部を作用させて前記脚連結体を仮保持させておくことができる。
【００１０】
前記脚連結体が、天板下方の空間を外部空間から区画し、天板との間に隙間を形成した状態で脚要素間に架設される幕板であれば、天板下方の空間の目隠しを図ることができると同時に、前記脚連結体と前記天板との間の隙間を配線挿通空間として利用することができる。
【００１１】
前記係合突起と前記脚連結体との間に係合突起取付部材を介在させているとともに、前記係合突起が天板に向けて突出する使用位置と前記係合突起が前記脚連結体の天板対向面と略又は完全に平行となる収納位置との間を回動可能となるように前記係合突起の基端部を前記係合突起取付部材に取り付けているものであれば、前記脚連結体に前記係合突起取付部材及び前記係合突起を取り付けたまま収納する際に、前記係合突起を前記収納位置にしておくことで収納の際に前記係合突起を床面等に強く打ち付けて前記係合突起が変形してしまう不具合の発生を防ぐことができる。
【００１２】
前記脚連結体を前記係合突起取付部材と一体に構成した脚連結体係止具を用いて脚に係止するものであれば、前記係合突起取付部材を前記脚連結体に取り付けたままの状態において、前記係合突起取付部材、前記脚連結体係止具、及び前記脚連結体を一体的に取り扱うことができ、さらに前記脚連結体係止具の紛失を防ぐことができる。
【発明の効果】
【００１３】
本発明に係る構成によれば、緊締力を発生させる工具を用いなくとも、前記係合突起と前記係合孔とを係合させた係合状態において前記テーパ結合部を作用させて前記係合突起と前記係合孔とを互いに密接させ、脚要素の左右方向への移動を禁止することにより、天板と脚要素との間のがたつきの発生を抑えることができる。
【発明を実施するための最良の形態】
【００１４】
以下、本発明の一実施形態を、図面を参照して説明する。
【００１５】
本発明に係る天板付き家具たるデスクＡは、図１、図２等に示すように、天板１と、天板１に着脱可能に結合され得る袖２及び脚体３（以下、「脚要素Ａ１」と総称する。）と、天板１と袖２との結合状態が解除されるのを防止するための解除防止機構たるファスナ４と、天板１下方の空間を外部空間から区画し袖２及び脚体３を連結する脚連結体たる幕板５と、幕板５の上端部を天板１及び脚要素Ａ１に接続する一対の上幕板取付部材６と、幕板５の下端部を脚要素Ａ１に接続する一対の下幕板取付部材７とを具備してなる。以下、各部を詳述する。
【００１６】
天板１は、図１、図３、図４、図５等に示すように、略矩形状の面板部１１の前縁、後縁及び側縁が下面側に垂下した構造をなすもので、その下面に、天板１の幅方向に延びるチャンネル状の前部架材１２、後部架材１３及び２本の中間架材１４を添設している。
【００１７】
前部架材１２は、その両端が天板１の側縁に当接し、その前端が天板１の前縁に当接する位置に固設されている。後部架材１３は、その両端が天板１の側縁に当接し、その後端が天板１の後縁から内側へ若干退避した位置に固設されている。中間架材１４は両端が天板１の側縁に当接すると共に、前部架材１２と後部架材１３の間を略等間隔で区分する位置に固設されている。そして、これら架材の下面は略面一にされ、袖２及び脚体３の上端に対する均等な添設状態を確保している。
【００１８】
また、前部架材１２に、左右対称に配されるようにした６つの第１係合孔Ｋ１を形成している。これら６つの第１係合孔Ｋ１のうち、両端からそれぞれ数えて１番目の第１係合孔Ｋ１は脚体３の取り付けに専ら用いるものであり、また、２番目及び３番目の第１係合孔Ｋ１は袖２の取り付けに専ら用いるものである。
【００１９】
各第１係合孔Ｋ１は、肉厚方向に穿設されたもので、図４に示すように、受入部Ｋ１１と第１係合部Ｋ１２とで構成されるダルマ形状を成している。受入部Ｋ１１は、天板１に脚要素Ａ１を当接させる初期動作に伴って、後述する第1係合突起Ｔ１を受け入れるものであり、また、第１係合部Ｋ１２は、前記初期動作と異なる方向に脚要素Ａ１を天板１に対して相対移動させる中間動作に伴って、後述する第1係合突起Ｔ１が係合するものである。
【００２０】
さらに、本実施形態では、両端からそれぞれ数えて２番目と３番目の第１係合孔Ｋ１の間に、係止孔Ｊを設けている。この係止孔Ｊは、第１係合部Ｋ１２と同様、肉厚方向に穿設されたものであって、略矩形状を成している。
【００２１】
また、後部架材１３に、図３に示すように、左右対称に配されるようにした２つの外側第２係合孔Ｋ２と、２つの内側第２係合孔Ｋ３とを形成している。なお、外側第２係合孔Ｋ２は、脚体３又は袖２の取付に用いるものであり、内側第２係合孔Ｋ３は、袖２の取付に専ら用いるものである。
【００２２】
より具体的に、各外側第２係合孔Ｋ２は、肉厚方向に穿設されたもので、図５等に示すように、外側待機部Ｋ２１と外側第２係合部Ｋ２２とで構成されるＬ字状を成している。外側待機部Ｋ２１は、前記中間動作に伴って後述する第２係合突起Ｔ２を受け入れるものであり、また、外側第２係合部Ｋ２２は、前記第１係合孔Ｋ１に後述する第1係合突起Ｔ１が係合した状態を維持しつつ脚要素Ａ１を天板１に対して相対移動させる最終動作に伴って後述する第２係合突起Ｔ２が係合するものである。なお、外側待機部Ｋ２１の前端は、後部架材１３の前面に開口させてある。
【００２３】
各内側第２係合孔Ｋ３は、肉厚方向に穿設されたもので、図５等に示すように、内側待機部Ｋ３１と内側第２係合部Ｋ３２とで構成される直線状を成している。内側待機部Ｋ３１は、前記中間動作に伴って、後述する第２係合突起Ｔ２を受け入れるものであり、また、内側第２係合部Ｋ３２は、前記第１係合孔Ｋ１に後述する第1係合突起Ｔ１が係合した状態を維持しつつ袖２を天板１に対して相対移動させる最終動作に伴って、後述する第２係合突起Ｔ２が係合するものである。なお、内側待機部Ｋ３１の前端は、後部架材１３の前面に開口させてある。また、２つの内側第２係合孔Ｋ３を天板１の後端側から見た際に、ハの字状を成すように、各内側第２係合孔Ｋ３を、天板１の後端縁に対して傾斜させている。
【００２４】
袖２は、図１、図６、図７等に示すように、物品を収容可能な３段の引出し２１と、これら引出し２１を出し入れ可能に保持する筐体２２と、筐体２２の各隅部に床と接して天板１の天板１面における水平レベル調整をするためのアジャスタ２３とを備えるものであって、中段の引出し２１に設けた鍵穴２１１を利用して施錠すると、全引出し２１を筐体２２より引き出すことができないようにされている。
【００２５】
より具体的には、引出し２１は、上方に開口する直方体状の収納部２１２と、この収納部２１２の前面に設けた鏡板２１３とを具備している。
【００２６】
筐体２２は、図示しない薄板金属板を素材とし、アジャスタ２３を下方から取り付け得るアジャスタ取付部２２１ａを各隅部に設けた平面視略矩形状の底板２２１と、この底板２２１の左右各側縁からそれぞれ一体に屈曲起立させた一対の側板２２２と、同様に前記底板２２１の後縁から屈曲起立させた後板２２３と、左右一対の側板２２２の前縁側同士間に横架させた前側頂板２２４と、左右一対の側板２２２の後縁側同士間に横架させた後側頂板２２５とからなる略直方体形状を成すもので、引出し２１を出し入れ可能に保持できるよう、その前方は開口させてある。
【００２７】
前側頂板２２４は、図６、図７、図１０に示すように、断面視略下向きコ字状を有するものであって、平面視略矩形状の頂壁要素２２４１と、この頂壁要素２２４１の前端縁及び後端縁からそれぞれ垂下させた前壁要素２２４２及び後壁要素２２４３とを備えてなる。そして、前壁要素２２４２の下端部を内側に向けて略直角に屈曲させるとともに、後壁要素２２４３の下端部を外側上方に向けて略４５度に屈曲させてある。
【００２８】
また、前側頂板２２４の左右両端側には、前記第１係合部Ｋ１２と係合可能な第1係合突起Ｔ１をそれぞれ１個ずつ設けている。この第1係合突起Ｔ１は、天板１の第１係合部Ｋ１２の径よりも小径な第１軸部Ｔ１１と、天板１の受入部Ｋ１１を通過可能で且つ第１係合部Ｋ１２よりも大径な第１頭部Ｔ１２とから構成されており、第１軸部Ｔ１１の突出寸法は天板１の前部架材１２の肉厚に略等しいか僅かに大きい値に設定してある。
【００２９】
加えて本実施形態では、前側頂板２２４の略中央部には、その裏面側から、後述するファスナ４の第１、第２爪要素４４を差し込むための３つの貫通孔Ｘを設けている。３つの貫通孔Ｘのうち、前側頂板２２４の後端に沿うように配した２つの貫通孔Ｘ（以下、「後端側貫通孔ＸＢ」と称する。）は、互いに同一の形状を有する平面視略矩形状のものであり、これに第1爪要素４２が差し込まれる。また、前側頂板２２４の前端に沿うように配した貫通孔Ｘ（以下、「前端側貫通孔ＸＦ」と称する。）は、前記後端側貫通孔ＸＢよりも若干拡開させた平面視略矩形状のものであり、これに第２爪要素４４が差し込まれる。
【００３０】
さらに、後側頂板２２５の左右両端側には、外側第２係合部Ｋ２２又は内側第２係合部Ｋ３２と係合可能な第２係合突起Ｔ２をそれぞれ１個ずつ設けている。この第２係合突起Ｔ２は、天板１の外側第２係合部Ｋ２２及び内側第２係合部Ｋ３２の幅よりも小径な第２軸部Ｔ２１と、外側待機部Ｋ２１及び内側待機部Ｋ３１を通過可能で且つ天板１の外側第２係合部Ｋ２２及び内側第２係合部Ｋ３２の幅よりも大径な第２頭部Ｔ２２とから構成されており、第２軸部Ｔ２１の突出寸法は天板１の後部架材１３の肉厚に略等しいか僅かに大きい値に設定してある。
【００３１】
脚体３は、図１、図２に示すように、偏平筐状の脚支柱３１に上部ステー３２及び下部ステー３３を一体に固設した側面視略コ字状を成すもので、前記上部ステー３２の上面で天板１を添設支持するようにしている。
【００３２】
上部ステー３２の上面の前端側には、天板１の第１係合部Ｋ１２と係合可能な図示しない第1係合突起Ｔ１を設け、後端側には、天板１の外側第２係合部Ｋ２２と係合可能な図示しない第２係合突起Ｔ２を設けている。なお、脚体３に設けたこれら第1係合突起Ｔ１及び第２係合突起Ｔ２は、袖２に設けたものと同様の構成であるので説明を省略する。
【００３３】
幕板５は、スチール製のもので、図１、図２に示すように、両端が、脚体３及び袖２の内面に添設しているとともに、天板対向面、すなわち本実施形態では上面と天板１の裏面との間に隙間を形成し得る位置に配されてなる。また、この幕板５の上隅部付近に対応する部位の正断面図を図８、この幕板５の下隅部付近に対応する部位の正断面図を図９、この幕板５の上隅部の天板１及び袖２への取り付け態様を示す分解斜視図を図１０、この幕板５の下隅部の袖２への取り付け態様を示す分解斜視図を図１１にそれぞれ示すように、この幕板５の天板対向面、すなわち本実施形態では上面の左右両端部には、前記上幕板取付部材６を取り付けるための上取付孔５ａを設けているとともに、左右両側面の上部には、この幕板５を前記脚要素Ａ１、すなわち脚体３又は袖２に取り付けるための側面固定孔５ｂをそれぞれ設けている。さらに、この幕板５の下面の左右両端近傍には、前記下幕板取付部材７を取り付けるための下取付孔５ｃを設けている。そして、前記下幕板取付部材７を取り付けるための孔として、左右両側の前記下取付孔５ｃよりさらに幕板の左右両端寄りにそれぞれ変位し脚要素Ａ１に近寄る位置に外側係合孔５ｄ、左右両側の結合具取付孔５ｃからこの幕板５の幅方向中央に向けて変位した位置に前記下幕板取付部材７を取り付けるための内側係合孔５ｅをそれぞれ、前記下取付孔５ｃの他に設けている。一方、前記脚要素Ａ１たる袖２の内側面の上部の側面固定孔５ｂと対応する位置には、上幕板取付孔２ｘを、また、この上幕板取付孔２ｘの直下で幕板５の下端に対応する位置には、下幕板取付孔２ｙを形成している。そして、前記脚要素Ａ１たる脚体３の内側面の上部の側面固定孔５ｂと対応する位置には、図示しない上幕板取付孔を、また、この上幕板取付孔の直下で幕板５の下端に対応する位置には、図示しない下幕板取付孔を形成している。
【００３４】
上幕板取付部材６は、前記図８及び図１０に示すように、前記上取付孔５ａに取り付けられる係合突起取付部材たる基材６２、前記側面固定孔５ｂを通過して脚要素Ａ１に取り付けられる脚連結体係止具たるクリップ６３、及びこれら基材６２とクリップ６３とを接続する結合帯６４を一体に構成した幕板上固定具６１と、前記基材６２に、天板１に向けて突出する使用位置Ｕと前記幕板５の上面と略又は完全に平行となる収納位置Ｓとの間を回動可能に取り付けられる係合突起６５とを具備する。
【００３５】
前記幕板上固定具６１は、可撓性を有する樹脂により全体を形成していて、平面図を図１２の（ａ）、側面図を同図の（ｂ）、正面図を同図の（ｃ）、及びこの図１２におけるｘ−ｘ断面図を同図の（ｄ）に示すような形状をしている。
【００３６】
前記基材６２は、前記図１２に示すように、板状をなす板状部６２１と、この板状部６２１から垂下して設けられ、前記上取付孔５ａに係合可能な取付部６２２と、前記板状部６２１から起立して設けられ、前記係合突起６５と係合する係合軸６２３ａを備えた係合突起受部６２３とを有する。前記取付部６２２は、その前端部ないし後端部を平面視前記板状部６２１を越えてさらに前方ないし後方に張り出して係止部６２２ａを設けているとともに、この係止部６２２ａと反対側には、その幅方向中央部に弾性変形により突没可能な係止爪６２２ｂを設けている。そして、前記係止部６２２ａ及び係止爪６２２ｂが前記上取付孔５ａの開口縁部に当接してこの基材６２を幕板５の上面に固定している。
【００３７】
前記クリップ６３は、前記図１２に示すように、前記袖２の上幕板固定孔２ｘ又は前記脚体３の上幕板固定孔と、前記側面固定孔５ｂとを重合させた状態で、これら上幕板固定孔及び側面固定孔５ｂに挿入し、幕板５の上部を脚要素Ａ１、すなわち前記袖２及び前記脚体３に固定する。より具体的には、前記袖２又は前記脚体３に当接可能な板状部６３１と、この板状部６３１の一端部側から突出して設けられる取付部６３２とを有する。さらに詳述すると、前記取付部６３２の一端部側に、平面視前記板状部６３１を越えて張り出す係止部６３２ａを設けているとともに、前記取付部６３２の他端部側には、その幅方向中央部に弾性変形により突没可能な係止爪６３２ｂを設けている。そして、前記係止部６３２ａ及び係止爪６３２ｂが前記側面固定孔５ｂの開口縁部に当接し、前記板状部６３１と前記取付部６３２とにより幕板５及び脚要素Ａ１を挟み込むようにしている。
【００３８】
前記係合突起６５は、正面図を図１３の（ａ）、側面図を同図の（ｂ）にそれぞれ示すように、その基端部に切り欠き６５１ａを有し、この切り欠き６５１ａを前記基材６２の係合軸６２３ａに係合させてなるとともに、前記係合軸６２３ａを回転中心として回動可能な基体６５１と、この基体６５１から前記使用位置Ｕにおいてさらに天板１に向かう方向に突出して設けられ、テーパ面６５２ａを有する係合部６５２とを具備する。
【００３９】
しかして本実施形態では、前記図８に示すように、前記係合突起６５を利用して、脚要素Ａ１の左右方向への移動を禁止するテーパ結合部Ｔを設けている。具体的には、天板１の裏面、より正確には前記後部架材１３の下面に、前記係合突起６５の係合部６５２と係合可能な受孔１３ｘを設けていて、前記係合突起６５と前記受孔１３ｘとを係合させた係合状態において、この係合突起６５が前記テーパ面６５２ａから前記脚要素Ａ１、すなわち脚体３又は袖２側に向かうテーパ作用を受け、前記天板１に密着するとともに、前記脚要素Ａ１に圧接して脚要素Ａ１の左右方向への移動を禁止するようにしている。
【００４０】
下幕板取付部材７は、前記図９及び図１１に示すように、一端部を前記袖２の下幕板取付孔２ｙ又は前記脚体３の下幕板取付孔に係合させてなり、他端部を前記下取付孔５ｃに挿通させてなる結合具７１と、この結合具７１に交差状態で相対動作可能に係合され、一端部を前記外側係合孔５ｄ、他端部を前記内側係合孔５ｅにそれぞれ係合させてなり、前記結合具７１が幕板５の下面から離れるのを防止する押え具７２とを具備する。
【００４１】
前記結合具７１は、１枚の金属板の両端部をそれぞれ相反する方向に屈曲させた板状をなし、一端部を前記袖２の下幕板取付孔２ｙ又は前記脚体３の下幕板取付孔に係合可能な対脚要素取付部７１１、他端部を前記結合具取付孔５ｃに係合可能な対幕板取付部７１２としている。また、平面視中央部には、前記押え具７２を挿通させるための押え具挿通孔７１ｘを設けている。
【００４２】
一方、前記押え具７２は、図１４の（ａ）に平面図、同図の（ｂ）に正面図、同図の（ｃ）に側面図、同図の（ｄ）に底面図をそれぞれ示すように、前記結合具７１と当接可能な押え部７２１と、前記押え部７２１の基端から突出して設けられ、前記押え具挿通孔７１ｘを通過して前記幕板５の外側係合孔５ｄと係合可能な外係合部７２２と、この押え部７２１の先端から突出して設けられ、前記幕板５の内側係合孔５ｅと係合可能な内係合部７２３とを有する。また、前記結合具７１及びこの押え具７２を幕板５に取り付けた取付状態において、前記外係合部７２２の先端部は前記幕板５の下面とほぼ平行であり、この押え具７２の前記外係合部７２２と前記結合具７１との間に前記幕板５の下面が配されるようにしている。
【００４３】
さらに、前記外係合部７２２の先端には、幅寸法を拡開させて係止ピン７２２ａを両側に形成しているとともに、その幅方向中央部に切り込み７２２ｘを形成していて、弾性変形により幅寸法を変化可能にしている。そして、前記押え具７２は、前記係止ピン７２２ａが前記幕板５の外側係合孔５ｄの開口縁部に当接した状態で、この係止ピン７２２ａ近傍を回動支点にして、前記結合具７１の一端部を前記下幕板取付孔に係合させることができる図１５の（ａ）に示すような開放位置から、該押え具７２の先端部を前記内側係合孔５ｅに係合させることができる同図の（ｂ）に示すような押え位置との間を回動し得るように構成している。
【００４４】
以下、デスクＡの組み立て方法及び各部の作用を具体的に説明する。
【００４５】
（１）天板１への袖２の筐体２２の取り付け
まず、天板１を裏返した状態で図示しない床等に置く。そして、天地を逆にした袖２の筐体２２を、袖２の筐体２２の第1係合突起Ｔ１と天板１の受入部Ｋ１１とが対向するように、天板１に対して位置付けた後、当該袖２の筐体２２を天板１に当接させるべく載置する。すると、袖２の筐体２２の第1係合突起Ｔ１が天板１の受入部Ｋ１１に挿入される。この動作が、「初期動作」に相当する。
【００４６】
次に、図１６に示すように、袖２の筐体２２を、天板１の前側から後側に向けてスライド移動させると、袖２の筐体２２の第1係合突起Ｔ１が天板１の第１係合部Ｋ１２に係合され、これら第1係合突起Ｔ１と第１係合部Ｋ１２とが、第1の結合機構ＡＸとして機能する状態になり、また、袖２の筐体２２の２つの第２係合突起Ｔ２が、内側待機部Ｋ３１及び外側待機部Ｋ２１に受け入れられる。この動作が、「中間動作」に相当する。
【００４７】
さらに、図１６に示すように、袖２の筐体２２を、第1係合突起Ｔ１が第１係合孔Ｋ１に係合した状態を維持しつつ、第１係合部Ｋ１２を回動中心として天板１裏面を沿うように回動動作させると、袖２の筐体２２の２つの第２係合突起Ｔ２が、外側第２係合部Ｋ２２及び内側第２係合部Ｋ３２に係合し、これら第２係合突起Ｔ２と内側第２係合部Ｋ３２とが、第２の結合機構ＡＹとして機能する状態になる。この動作が、「最終動作」に相当する。
【００４８】
（２）天板１への脚体３の取り付け
まず、天地を逆にした脚体３を、脚体３の第1係合突起Ｔ１と天板１の受入部Ｋ１１とが対向するように、裏返した状態の天板１に対して位置付けた後、当該脚体３を天板１に当接させるべく載置する。すると、脚体３の第1係合突起Ｔ１が天板１の受入部Ｋ１１に挿入される。この動作が、「初期動作」に相当する。
【００４９】
次に、図１７に示すように、脚体３を、天板１の前側から後側に向けてスライド移動させると、脚体３の第1係合突起Ｔ１が天板１の第１係合部Ｋ１２に係合され、これら第1係合突起Ｔ１と第１係合部Ｋ１２とが、第1の結合機構ＡＸとして機能する状態になり、また、脚体３の第２係合突起Ｔ２が、外側待機部Ｋ２１に受け入れられる。この動作が、「中間動作」に相当する。
【００５０】
さらに、図１７に示すように、脚体３を、第1係合突起Ｔ１が第１係合孔Ｋ１に係合した状態を維持しつつ、第１係合部Ｋ１２を回動中心として天板１裏面を沿うように回動動作させると、脚体３の第２係合突起Ｔ２が、外側第２係合部Ｋ２２に係合され、これら第２係合突起Ｔ２と外側第２係合部Ｋ２２とが、第２の結合機構ＡＹとして機能する状態になる。この動作が、「最終動作」に相当する。
【００５１】
なお、この脚体３の取り付け（２）は、袖２の筐体２２の取り付け（１）よりも先に行ってもよい。
【００５２】
（３）幕板５の取り付け
上述のようにして、天板１に袖２の筐体２２及び脚体３を取り付けた後、幕板５を、袖２の筐体２２及び脚体３の内面間に横架させる位置に取り付け固定する。
【００５３】
具体的には、まず、幕板５の上部に上幕板取付部材６を取り付ける。すなわち、前記基材６２を前記上取付孔５ａに取り付け、この基材６２にさらに係合突起６５を取り付ける。次に、この係合突起６５を前記使用位置Ｕに移動させ、この係合突起６５の係合部６５２を天板１の受孔１３ｘに係合させて前記テーパ結合部Ｔを機能させる。その際、前記係合突起６５の係合部６５２と前記天板１の受孔１３ｘとのテーパ作用によりこの係合突起６５と天板１とが密着して幕板５が天板１に仮保持される。また、前記テーパ作用を受けて係合突起６５が脚要素Ａ１すなわち前記袖２及び脚体３に圧接され、前記袖２及び脚体３が互いに離間する方向に作用を受け、前記第１係合突起の第１軸部Ｔ１１が前記第１係合部Ｋ１２の開口端に、また、前記第２係合突起の第２軸部Ｔ２１が前記外側第２係合部Ｋ２２又は内側第２係合部Ｋ３２の開口端にそれぞれ圧接され、前記袖２及び脚体３の左右移動が禁止される。
【００５４】
それから、クリップ６３を前記袖２の上幕板取付孔２ｘ及び前記脚体３の上幕板取付孔（図示略）にそれぞれ係合させて幕板５を脚３と袖２との間に架設する。
【００５５】
さらに、幕板５の下部に下幕板取付部材７を取り付ける。具体的には、結合具７１の対脚要素取付部７１１を前記袖２の下幕板取付孔２ｙ又は前記脚体３の下幕板取付孔に係合させ、対幕板取付部７１２を前記結合具取付孔５ｃに挿通させる。この状態で、幕板５の外側係合孔５ｄは、結合具７１の押え具挿通孔７１ｘと重合する。その後、前記押え具７２の外係合部７２２を前記結合具７１の押え具挿通孔７１ｘ及び外側係合孔５ｄに挿通させて前記係止ピン７２２ａを該外側係合孔５ｄの開口縁部に当接させ、そして、前記内係合部７２３を幕板５の内側係合孔５ｅと係合させて押え具７２を前記押え位置まで移動させ、前記押え部７２１を結合具７１と当接させる。
【００５６】
（４）その他
以上のようにして組み立ててきたものを、天地が正常となるように戻し、前記ファスナ４を取り付けてから前記引出し２１を取り付ける。
【００５７】
また、以下にデスクＡの分解及び収納方法を具体的に説明する。
【００５８】
（１）幕板５の取り外し及び収納
まず、前記押え具７２の内係合部７２３と幕板５の内側係合孔５ｅとの係合を解除し、前記押え具７２を前記開放位置まで移動させる。それから、前記結合具７１の対幕板取付部７１２を幕板５から離間させる方向に移動させ、該結合具７１の対脚要素取付部７１１と前記袖２の下幕板取付孔２ｙ又は前記脚体３の下幕板取付孔との係合を解除する。次に、前記クリップ６３と前記袖２の上幕板取付孔２ｘ及び前記脚体３の上幕板取付孔（図示略）との係合を解除する。そして、係合突起６５と後部架材１３の下面の係合孔１３ｘとの係合を解除し、幕板５を天板１及び脚要素Ａ１から完全に取り外す。そして、係合突起６５を収納位置Ｓに移動させるとともに、前記押え具７２を前記押え位置まで移動させ、上幕板取付部材６及び下幕板取付部材７を幕板５に取り付けたまま収納する。
【００５９】
（２）その他
その後、引出し２１及びファスナ４を取り外し、デスクＡを裏返して上述した組み立て方法の（１）及び（２）の逆の操作により、天板１から袖２の筐体２２及び脚体３を取り外して、天板１、袖２の引出し２１及び筐体２２、脚体３、及びファスナ４をそれぞれ収納する。なお、ファスナ４を取り外す操作、デスクＡを裏返す操作、及び前段で述べた分解・収納方法の（１）の操作の順序は、任意に変更してよい。また、係合突起６５を収納位置Ｓに移動させる操作、及び前記押え具７２を前記押え位置まで移動させる操作は、天板１から袖２の筐体２２及び脚体３を取り外す操作を終えてから行うようにしてももちろんよい。
【００６０】
このように、本実施形態に係るデスクＡによれば、工具を用いずに、第１、第２の結合機構ＡＹによって天板１と脚要素Ａ１とを結合し、上幕板取付部材６及び下幕板取付部材７によって幕板５を脚要素Ａ１間、すなわち袖２と脚体３との間に架設することができるとともに、上述したテーパ結合部Ｔの作用により、上幕板取付部材６の係合突起６５を袖２又は脚体３に圧接させてこれら袖２又は脚体３の左右移動を禁止し、天板１と脚要素Ａ１との間のがたつきの発生を抑えることができる。
【００６１】
また、両側の脚要素Ａ１すなわち袖２と脚体３とを脚連結体たる幕板５により連結し、幕板５の左右両端に前記係合突起６５を設け、係合突起６５を天板１の係合孔１３ｘに係合させた係合状態で前記係合突起６５が脚要素Ａ１すなわち袖２と脚体３に圧接するようにしているので、前記テーパ結合部Ｔの作用により天板１と幕板５との間を互いに密接させることと併せて、より効果的に天板１と脚要素Ａ１との間のがたつきの発生を抑えることができる。
【００６２】
前記幕板５の上面の左右両端に、前記係合突起６５を天板１に向けて突出させて設けるようにしているとともに、天板１の裏面に前記係合孔１３ｘを設けているので、天板１を裏返しにして前記幕板５を天板１に取り付ける際に、前記テーパ係合部Ｔを作用させて上述した組み立て方法におけるように前記幕板５を天板１に仮保持させておくことができる。
【００６３】
天板１下方の空間を外部空間から区画し、天板との間に隙間を形成した状態で配される前記幕板５を、脚要素Ａ１間、すなわち袖２と脚体３との間に架設される脚連結体としているので、天板下方の空間の目隠しを図る幕板５本来の機能を得ると同時に、幕板５と前記天板１との間の隙間を配線挿通空間として利用することができる。
【００６４】
前記係合突起６５と前記幕板５との間に基材６２を介在させているとともに、前記係合突起６５が天板１に向けて突出する使用位置Ｕと前記係合突起６５が前記幕板５の上面と略又は完全に平行となる収納位置Ｓとの間を回動可能となるように前記係合突起６５の基端部を前記基材６２に取り付けているので、前記幕板５に前記基材６２及び前記係合突起６５を含む上幕板取付部材６を取り付けたまま収納する際に、前記係合突起６５を前記収納位置Ｓにしておくことで収納の際に前記係合突起６５を床面等に強く打ち付けて前記係合突起６５が変形してしまう不具合の発生を防ぐことができる。すなわち、上幕板取付部材６を取り付けたまま幕板５を収納する操作を安全に行うことができる。
【００６５】
前記基材６２と前記クリップ６３とを前記結合帯６４を介して接続した態様で前記幕板上固定具６１として一体に構成し、前記クリップ６３を用いて前記幕板５を脚要素Ａ１に係止するようにしているので、前記上幕板取付部材６を前記幕板５に取り付けたまま、前記上幕板取付部材６を構成する前記基材６２、前記クリップ６３、及び前記幕板５を一体的に取り扱うことができ、さらに前記クリップ６３の紛失を防ぐことができる。加えて本実施形態では、前記上幕板取付部材６全体を前記幕板５に取り付けたまま、上述した前記基材６２、前記クリップ６３、及び前記幕板５に加えて、前記係合突起６５をも一体的に取り扱うことができる。
【００６６】
なお、本発明は、以上に詳述した実施形態に限られるものではない。
【００６７】
例えば、脚要素Ａ１として、施錠機構付きの引出し２１を備えた袖２と脚体３とを用いているが、この脚体３に替えて同様の袖２を用いるようにしてもよい。
【００６８】
また、上幕板取付部材６は、上述した構成に代えて、幕板５の側面の上端部を脚要素Ａ１に係止するクリップ６３と、前記クリップ６３と別体の基材６２及び前記係合突起６５を備えた対天板固定部とを別個に具備する構成を採用してもよい。
【００６９】
さらに、前記係合突起６５を回動可能に構成する態様に代えて、幕板５の上部の左右両端に幕板の天板対向面から天板に向かう方向に突出し天板に設けた係合孔に係合可能なテーパ面を有する係合突起を固設する態様であっても、少なくとも該係合突起と前記係合孔とが係合する係合状態において、テーパ作用により該係合突起が脚要素に圧接し、脚要素の左右移動を禁止する効果、すなわち脚要素の左右移動に由来するがたつきを抑える効果は得られる。
【００７０】
加えて、テーパ結合部Ｔに、上述した構成に代えて、天板の裏面に垂下して設けられテーパ面を有する係合突起と、脚要素の天板対向面に設けられ前記係合突起と係合可能な係合孔とを利用して構成し、これら係合突起と係合孔とが係合した係合状態で、係合突起のテーパ面が係合孔と係合することにより発生するテーパ作用により天板と脚要素とを互いに圧接させて脚要素の左右移動を禁止する構成を採用するようにしてもよい。この場合、前記上幕板取付部材６は、幕板５の上部を脚要素Ａ１に係止する機能のみを備える構成、具体的には前記クリップ６３のみを具備する構成を採用してもよい。
【００７１】
また、脚連結体は、上述した幕板５でなく、左右の脚要素の上端部間に架設して設けられる横架材であってもよい。
【００７２】
そして、ファスナ４は、省略するようにしてもよい。
【００７３】
その他、各部の具体的構成についても上記実施形態に限られるものではなく、本発明の趣旨を逸脱しない範囲で種々変形が可能である。
【図面の簡単な説明】
【００７４】
【図１】本発明の一実施形態に係るデスクを示す全体斜視図。
【図２】本発明の一実施形態に係るデスクを天地を逆にして示す全体斜視図。
【図３】同実施形態における天板の裏面側を示す図。
【図４】同実施形態における天板の後側要部の拡大斜視図。
【図５】同実施形態における天板の前側要部の拡大斜視図。
【図６】同実施形態における袖を見下ろした斜視図。
【図７】同実施形態における袖の前側要部の拡大斜視図。
【図８】同実施形態における幕板上隅部付近に対応する部位の正断面図。
【図９】同実施形態における幕板下隅部付近に対応する部位の正断面図。
【図１０】同実施形態における幕板上隅部の天板及び袖への取り付け態様を示す分解斜視図。
【図１１】同実施形態における幕板下隅部の天板及び袖への取り付け態様を示す分解斜視図。
【図１２】同実施形態における幕板上固定具を示す図。
【図１３】同実施形態における係合突起を示す図。
【図１４】同実施形態における下幕板取付部材の押え具を示す図。
【図１５】同実施形態における下幕板取付部材の動作を示す図。
【図１６】同実施形態における袖の天板への取り付けを模式的に示す図。
【図１７】同実施形態における脚体の天板への取り付けを模式的に示す図。
【符号の説明】
【００７５】
Ａ…デスク
Ａ１…脚要素
１…天板
１３ｘ…受孔
２…袖（脚要素）
３…脚体（脚要素）
５…幕板（脚連結体）
６２…基材（係合突起取付部材）
６３…クリップ（脚連結体係止具）
６５…係合突起
６５２…テーパ面
Ｔ…テーパ結合部
【図１】
2006141484.tif 000003
【図２】
2006141484.tif 000004
【図３】
2006141484.tif 000005
【図４】
2006141484.tif 000006
【図５】
2006141484.tif 000007
【図６】
2006141484.tif 000008
【図７】
2006141484.tif 000009
【図８】
2006141484.tif 000010
【図９】
2006141484.tif 000011
【図１０】
2006141484.tif 000012
【図１１】
2006141484.tif 000013
【図１２】
2006141484.tif 000014
【図１３】
2006141484.tif 000015
【図１４】
2006141484.tif 000016
【図１５】
2006141484.tif 000017
【図１６】
2006141484.tif 000018
【図１７】
2006141484.tif 000019